(57)【要約】【課題】部品点数を増やすことなく、表示部が内向きの状態及び外向きの状態で表示ユニットの開閉状態を検知する開閉角度を異ならせることができるデジタルカメラを提供する。【解決手段】表示ユニット２内の回転軸Ｃ２からずれた位置に形状、大きさ及び磁力が同じ２つの磁石５ａ，５ｂを配置し、表示部２ａをカメラ本体に対して内向きにして表示ユニット２を閉じた際の磁気センサ６と一方の磁石５ａとの間の距離Ｅと、表示部２ａをカメラ本体に対して外向きにして表示ユニット２を閉じた際の磁気センサ６と他方の磁石５ｂとの間の距離Ｆとを異ならせる。【選択図】図４
2011041125.tif 000002
【特許請求の範囲】
【請求項１】
機器本体と、
表示部が設けられた、前記機器本体に対して開閉可能に支持されると共に、開閉軸と直交する回転軸を中心に回転可能に支持される可動部と、
前記可動部の回転状態が、前記機器本体に対して前記表示部が内向きの状態か外向きの状態かを検知する回転検知手段と、
前記可動部の開閉状態に応じて前記表示部の表示形態を切り替える制御手段と、を備え、
前記制御手段は、前記回転検知手段により検出された状態が内向きの状態である場合と検出された状態が外向きの状態である場合とで、前記表示部の表示形態を切り替える前記可動部の開閉角度を異ならせることを特徴とする電子機器。
【請求項２】
前記制御手段は、前記回転検知手段により検出された状態が内向きの状態である場合、検出された状態が外向きの状態である場合よりも、前記表示部の表示形態を切り替える前記可動部の開閉角度を大きくすることを特徴とする請求項１に記載の電子機器。
【請求項３】
前記機器本体及び前記可動部のうちの一方に配置される磁石と、
前記機器本体及び前記可動部のうちの他方に配置され、前記磁石の磁場を検知する磁気センサと、を備え、
前記制御手段は、前記磁気センサにより検知された前記磁場の磁束密度が所定の閾値よりも大きい場合は前記可動部が前記機器本体に対して閉じた状態であると判断すると共に、所定の閾値以下の場合は前記可動部が前記機器本体に対して開いた状態であると判断し、判断結果に変更があると前記表示部の表示形態を切り替え、
前記磁石は、前記表示部を前記機器本体に対して内向きにして前記可動部を閉じた状態のほうが外向きにして前記可動部を閉じた状態よりも、前記磁気センサまでの距離が短くなるように配置されることを特徴とする請求項２に記載の電子機器。
【請求項４】
前記磁石は、前記表示部を前記機器本体に対して内向きにして前記可動部を閉じた状態で前記磁気センサに対向する位置と、外向きにして前記可動部を閉じた状態で前記磁気センサに対向する位置の２箇所に配置されることを特徴とする請求項３に記載の電子機器。
【請求項５】
前記機器本体及び前記可動部のうちの一方に配置される磁石と、
前記機器本体及び前記可動部のうちの他方に配置され、前記磁石の磁場を検知する磁気センサと、を備え、
前記制御手段は、前記磁気センサにより検知された前記磁場の磁束密度が所定の閾値よりも大きい場合は前記可動部が前記機器本体に対して閉じた状態であると判断すると共に、所定の閾値以下の場合は前記可動部が前記機器本体に対して開いた状態であると判断し、判断結果に変更があると前記表示部の表示形態を切り替え、前記表示部を前記機器本体に対して内向きにして前記可動部を閉じた状態のほうが外向きにして前記可動部を閉じた状態よりも前記所定の閾値を小さくすることを特徴とする請求項２に記載の電子機器。
【請求項６】
前記可動部の開閉角度が所定角度以下になると前記可動部を前記機器本体に対して閉じる方向に付勢する付勢手段を備え、
前記制御手段は、前記表示部の表示形態を切り替える前記可動部の開閉角度を、前記付勢手段により前記可動部への付勢を開始する前記所定角度より小さくすることを特徴とする請求項１ないし５のいずれか１項に記載の電子機器。
【発明の詳細な説明】
【技術分野】
【０００１】
本発明は、例えば、液晶表示部等を有する可動部が機器本体に対して開閉可能に支持されるデジタルカメラ、ビデオカメラ、携帯電話機などの電子機器に関する。
【背景技術】
【０００２】
デジタルカメラやビデオカメラ等の電子機器では、液晶ディスプレイ等の表示部を有する表示ユニットを機器本体に対して開閉可能に支持し、また、表示ユニットを開状態で回転可能に支持することで、様々な角度での撮影を容易に行うことを可能にしている。
【０００３】
また、このような電子機器は、表示ユニットの開閉状態および回転状態によって、表示部に表示される画像を上下、左右に反転するなどの表示の切り替えや点灯および消灯を行い、操作者に違和感が無いようにしている。
【０００４】
また、近年では、機器本体に対する表示ユニットの開閉状態の検知は、非接触で省スペース化等が可能なことから、マグネットおよび磁気センサを用いて行われている（特許文献１）。
【先行技術文献】
【特許文献】
【０００５】
【特許文献１】特開２００５−２９５２８８号公報
【発明の概要】
【発明が解決しようとする課題】
【０００６】
ところで、機器本体に対する表示ユニットの開閉状態の検知は、例えば、表示ユニットに内蔵されたマグネットの磁場を機器本体に内蔵された磁気センサで検知することで行われる。また、表示ユニットが開状態で回転操作された際の表示ユニットの回転状態についても、所定の回転検知手段に検知され、磁気センサの出力信号及び回転検知手段の出力信号は、メイン基板等に搭載された制御部に供給される。
【０００７】
制御部は、磁気センサの出力信号に基づき、表示ユニットの開閉状態を判断し、また、回転検知手段の出力信号に基づき、表示ユニットの表示部が機器本体に対して内向きの状態か外向きの状態かを判断する。
【０００８】
そして、制御部は、機器本体に対して表示ユニットの表示部が内向きの状態において、表示ユニットが開状態のときは、表示部を点灯し、表示ユニットが閉状態のときは、表示部を消灯する。また、制御部は、表示部に表示される画像の上下左右が同じになるように、機器本体に対して表示ユニットの表示部が外向きの状態か内向きの状態か、表示ユニットが開状態か閉状態かに応じて表示部に表示させる画像の向きを変更する。例えば、表示ユニットの開閉軸が縦方向の場合、機器本体に対して表示ユニットの表示部が外向きの状態において、表示ユニットが開状態のときは、表示部を内向きにした開状態と比較して、表示部の画像を上下に反転させる。また、表示ユニットの開閉軸が縦方向の場合、機器本体に対して表示ユニットの表示部が外向きの状態において、表示ユニットが閉状態のときは、表示部を内向きにした開状態と比較して、上下に反転した表示部の画像を左右に反転させる。
【０００９】
ところで、表示部の点灯及び消灯は、機器の省エネルギー化の観点から、表示ユニットの閉状態からの開閉角度が比較的大きい状態で行うことが望ましい。一方、表示部での画像の反転の切り替えは、表示ユニットの閉状態からの開閉角度が比較的小さい状態で行う方が、ユーザにとって使い勝手がよい。
【００１０】
しかし、上記特許文献１では、機器本体に対して表示ユニットの表示部が内向きの状態及び外向きの状態のいずれの場合も、表示ユニットの開閉状態を検知する開閉角度が同じである。このため、上述した機器の省エネルギー化やユーザの使い勝手の向上を実現することが難しい。
【００１１】
そこで、本発明は、表示部が内向きの状態及び外向きの状態で可動部の開閉状態を検知する開閉角度を異ならせることができる電子機器を提供することを目的とする。
【課題を解決するための手段】
【００１２】
上記目的を達成するために、本発明の電子機器は、機器本体と、表示部が設けられた、前記機器本体に対して開閉可能に支持されると共に、開閉軸と直交する回転軸を中心に回転可能に支持される支持される可動部と、前記可動部の回転状態が、前記機器本体に対して前記表示部が内向きの状態か外向きの状態かを検知する回転検知手段と、前記可動部の開閉状態に応じて前記表示部の表示形態を切り替える制御手段と、を備え、前記制御手段は、前記回転検知手段により検出された状態が内向きの状態である場合と検出された状態が外向きの状態である場合とで、前記表示部の表示形態を切り替える前記可動部の開閉角度を異ならせることを特徴とする。
【発明の効果】
【００１３】
本発明によれば、表示部が内向きの状態及び外向きの状態で可動部の開閉状態を検知する開閉角度を異ならせることができる電子機器を提供することができる。
【図面の簡単な説明】
【００１４】
【図１】本発明に係る電子機器の第１の実施形態であるデジタルカメラの外観斜視図である。
【図２】本発明に係る電子機器の第１の実施形態であるデジタルカメラの外観斜視図である。
【図３】本発明に係る電子機器の第１の実施形態であるデジタルカメラの背面図である。
【図４】（ａ）は図３のＫ−Ｋ線断面図、（ｂ）は（ａ）に対して表示ユニットの表示部を外向きにした状態を示す断面図である。
【図５】磁気センサから出力されるＨＩＧＨ／ＬＯＷ信号及びマイクロスイッチから出力されるＯＦＦ／ＯＮ信号に基づく制御部による表示部の制御例を説明するための図である。
【図６】本発明に係る電子機器の第２の実施形態であるデジタルカメラの背面図である。
【図７】（ａ）は図６のＭ−Ｍ線断面図、（ｂ）は（ａ）に対して表示ユニットの表示部を外向きにした状態を示す断面図である。
【図８】本発明に係る電子機器の第３の実施形態であるデジタルカメラの背面図である。
【図９】（ａ）は図８のＭ−Ｍ線断面図、（ｂ）は（ａ）に対して表示ユニットの表示部を外向きにした状態を示す断面図である。
【発明を実施するための形態】
【００１５】
以下、本発明の実施形態を図面を参照して説明する。
【００１６】
（第１の実施形態）
図１及び図２は、本発明に係る電子機器の第１の実施形態であるデジタルカメラの外観斜視図である。
【００１７】
図１及び図２に示すように、本実施形態のデジタルカメラは、本発明の機器本体の一例であるカメラ本体１の背面に、液晶ディスプレイ等の表示部２ａを有する表示ユニット２がヒンジ機構の開閉軸Ｃ１を中心に０°〜約１８０°の範囲で開閉可能に支持されている。表示ユニット２は、本発明の可動部の一例に相当し、閉状態（開閉角度０°）で、カメラ本体１の背面側に配置されるリアカバー３に形成された凹部に収納される。
【００１８】
また、表示ユニット２は、全開状態（開閉角度約１８０°）では、カメラ本体１に対して、開閉軸Ｃ１に直交するヒンジ機構の回転軸Ｃ２（図１（ｃ）参照）を中心に＋側に約１８０°、−側に約９０°の範囲で回転可能に支持されている。
【００１９】
リアカバー３は、非磁性もしくは弱磁性の部材で形成されている。また、カメラ本体１の前面側に配置されるフロントカバー４は、アルミニウムの板材に対してプレス加工や絞り加工を施すことで形成されている。
【００２０】
次に、図３及び図４を参照して、表示ユニット２の開閉状態の検知例、及び表示ユニット２の回転状態の検知例について説明する。図３は本実施形態のデジタルカメラの背面図、図４（ａ）は図３のＫ−Ｋ線断面図、図４（ｂ）は図４（ａ）に対して表示ユニット２の表示部２ａを外向きにした状態を示す断面図である。
【００２１】
まず、表示ユニット２の開閉状態の検知例について説明すると、図３に示すように、表示ユニット２の開閉軸Ｃ１側の端部には、同じ形状、大きさでかつ同じ磁力を持つ直方体状のマグネット５ａ，５ｂが開閉軸Ｃ１の軸方向に互いに離れてして内蔵されている。
【００２２】
なお、２つのマグネット５ａ，５ｂを用いた理由は、表示部２ａを内向き（リアカバー３と対面する向き）にして表示ユニット２を閉じる場合と、表示部２ａを外向きにして表示ユニット２を閉じる場合の２つの閉状態を磁気センサ６で検知するためである。すなわち、表示部２ａを内向きにして表示ユニット２を閉じる場合と表示部２ａを外向きにして表示ユニット２を閉じる場合とで、２箇所に配置されたマグネット５ａ，５ｂのいずれか一方が磁気センサ６と対向する。
【００２３】
リアカバー３の内部には、磁気センサ６が内蔵されている。磁気センサ６は、垂直方向の磁場の変化を検出するホールＩＣ等で構成され、表示部２ａを内向きにして表示ユニット２を閉じた際に、マグネット５ａが対向し、表示部２ａを外向きにして表示ユニット２を閉じた際に、マグネット５ｂが対向する位置に配置される。
【００２４】
磁気センサ６は、フレキシブルプリント基板（ＦＰＣ）に実装されており、磁気センサ６からの信号は、フレキシブルプリント基板の配線を通じて不図示のメイン基板の制御部へ出力される。フレキシブルプリント基板は、非磁性のシャーシに高精度で位置決め固定されている。磁気センサ６は、マグネット５ａ，５ｂの磁場が近づくとＨＩＧＨ信号を出力し、マグネット５ａ，５ｂの磁場が遠ざかるとＬＯＷ信号を出力する。
【００２５】
すなわち、マグネット５ａ，５ｂの磁場の磁束密度が所定の閾値より大きければＨＩＧＨ信号を出力し、閾値以下であればＬＯＷ信号を出力する。制御部は、磁気センサ６の出力信号に基づき表示ユニット２の開閉状態を判断し、また、回転検知手段の出力信号に基づき、表示ユニットの表示部が機器本体に対して内向きの状態か外向きの状態かを判断する。そして、制御部は、上記の２つの判断結果に基づいて、後述するように表示部２の表示形態の切り替えを行う。
【００２６】
一方、表示ユニット２の回転状態は、本発明の回転検知手段の一例である接点式のマイクロスイッチ（不図示）により検知される。マイクロスイッチは、表示ユニット２を全開状態（図１（ｃ））から回転軸Ｃ２を中心に約１８０°回転（図２（ｂ）参照）させると、ＯＮ信号を出力する。
【００２７】
そして、磁気センサ６から出力されるＨＩＧＨ／ＬＯＷ信号及びマイクロスイッチから出力されるＯＦＦ／ＯＮ信号を基に、メイン基板に搭載された制御部は、図５に示すように、表示部２ａの点灯、消灯、画像の上下反転／左右反転の表示制御を行う。
【００２８】
次に、図５を用いて、磁気センサ６から出力されるＨＩＧＨ／ＬＯＷ信号及びマイクロスイッチから出力されるＯＦＦ／ＯＮ信号に基づく、制御部による表示部２ａの表示制御例について説明する。
【００２９】
初期状態では、表示ユニット２は、図１（ａ）に示すように、表示部２ａを内向きにして閉状態でカメラ本体１のリアカバー３の凹部に収納されている（開閉角度０°）。このとき、磁気センサ６は、マグネット５ａの磁場を検知してＨＩＧＨ信号を制御部に出力し、また、マイクロスイッチは、ＯＦＦ信号を制御部に出力する。そして、制御部は、磁気センサ６からのＨＩＧＨ信号及びマイクロスイッチからのＯＦＦ信号に基づき、表示部２ａを消灯するように制御する。従って、表示部２ａには、何も表示されていない。
【００３０】
次に、図１（ｂ）に示すように、表示ユニット２を開閉軸Ｃ１を中心に開いていくと、表示ユニット２内のマグネット５ａが磁気センサ６から離れるため、磁気センサ６は、マグネット５ａの磁場が遠ざかったことを検知して、制御部にＬＯＷ信号を出力する。
【００３１】
そして、制御部は、磁気センサ６からのＬＯＷ信号及びマイクロスイッチからのＯＦＦ信号に基づき、表示部２ａを点灯させるとともに、不図示の撮影光学系を介してＣＣＤセンサ等の撮像素子に結像された画像を表示部２ａに表示する。従って、図１（ｃ）に示すように、表示ユニット２を全開にした状態（開閉角度約１８０°）で、ユーザは、表示部２ａに表示された画像を見ながら、容易に被写体を捕らえることができる。
【００３２】
ここで、前述したように、表示ユニット２は、回転軸Ｃ２を中心に＋側に約１８０°、−側に約９０°の範囲で回転可能である。このため、表示ユニット２を、図１（ｃ）の状態から図１（ｄ）又は図２（ａ）の状態に回転させることで、ハイアングル撮影時やローアングル撮影時でも、容易に被写体を捕らえることができる。
【００３３】
次に、表示ユニット２を、図１（ｃ）状態から＋側に約１８０°回転させると（図２（ｂ）参照）、マイクロスイッチから制御部にＯＮ信号が出力される。そして、制御部は、磁気センサ６からのＬＯＷ信号及びマイクロスイッチからのＯＮ信号に基づき、表示部２ａに表示される画像の上下を反転させる。この状態では、表示部２ａがカメラ本体１の正面側を向くため、自分自身を撮影（自分撮り）するのに適している。
【００３４】
表示ユニット２を図２（ｂ）の状態から図２（ｃ）の状態になるまで閉じていくと、磁気センサ６は、マグネット５ｂの磁場を検知してＨＩＧＨ信号を制御部に出力する。そして、制御部は、磁気センサ６からのＨＩＧＨ信号及びマイクロスイッチからのＯＮ信号に基づき、表示部２ａに表示される画像の左右を反転させる。
【００３５】
図２（ｃ）の状態から更に表示ユニット２を閉じていくと、ヒンジ機構に備えられた付勢手段により表示ユニット２がリアカバー３側に付勢され、表示部２ａを外向きにした状態でリアカバー３の凹部に収納される（図２（ｄ）参照）。この状態では、表示部２ａがカメラ本体１の背面側を向くとともに、撮影光学系の光軸と表示部２ａの中央部とがほぼ一致するため、動く被写体を追尾しやすい。
【００３６】
ところで、表示ユニット２が閉じた状態では、マグネット５ａ，５ｂと磁気センサ６との間に、リアカバー３及び表示ユニット２の外装ケースが介在している。この場合、表示ユニット２の外装ケースは、非磁性のアルミニウム材や樹脂部材により形成されているため、マグネット５ａ，５ｂの磁場を乱すおそれはない。また、リアカバー３を非磁性の部材で形成した場合には、マグネット５ａ，５ｂの磁場を乱すおそれはない。
【００３７】
しかし、リアカバー３を弱磁性の部材で形成した場合は、マグネット５ａ，５ｂによってリアカバー３が磁化されてマグネット５ａ，５ｂの磁場を乱してしまい、磁気センサ６が表示ユニット２の開閉状態を誤検知する可能性がある。このため、リアカバー３が磁化しないように保磁力（Ｈｃ）の殆どない弱磁性体を使用したり、リアカバー３のマグネット５ａ，５ｂと磁気センサ６とで挟まれる部分の肉厚を薄くしたりすることで、マグネット５ａ，５ｂの磁場を乱さないようにしている。なお、磁気センサ６近傍のその他の部材についても、非磁性の部材を使用しマグネット５ａ，５ｂの磁場を乱さないようにするのが望ましい。
【００３８】
次に、図４を参照して、表示ユニット２の表示部２ａを点灯あるいは消灯する際の表示ユニット２の開閉角度について、詳しく説明する。
【００３９】
図４（ａ）は、表示部２ａを内向きにして表示ユニット２を開いていく状態もしくは閉じていく状態を示している。
【００４０】
図中の開閉角度Ａは、表示部２ａの点灯と消灯とを切り替える際の表示ユニット２の角度である。表示ユニット２を閉状態から開いていく際には、表示ユニットの開閉角度がこの開閉角度Ａを越えると磁気センサ６の出力がＨＩＧＨからＬＯＷに切り替わり、表示部２ａは消灯状態から点灯状態へと遷移する。
【００４１】
逆に、表示ユニットを開いている状態から閉じていく際には、表示ユニットの開閉角度がこの開閉角度Ａを越えると磁気センサ６の出力がＬＯＷからＨＩＧＨに切り替わり、表示部２ａは点灯状態から消灯状態へと遷移する。
【００４２】
ここで、表示ユニット２を閉状態から開く際に磁気センサ６の出力がＨＩＧＨからＬＯＷに切り替わる開閉角度Ａと、表示ユニット２を開状態から閉じる際に磁気センサ６の出力がＬＯＷからＨＩＧＨに切り替わる開閉角度Ａとは、２〜３°程度ずらしても構わない。両方の開閉角度Ａを全く同じにすると、その角度で表示ユニット２を停止した際に、表示部２ａが点灯、消灯を繰り返すチャタリングが発生してしまうからである。なお、以下の説明では、便宜上、両方の開閉角度Ａは同じものとして説明する。
【００４３】
表示ユニット２内に配置されているマグネット５ａは、表示部２ａを内向きにして表示ユニット２を閉じている状態では、表示ユニット２の回転軸Ｃ２より磁気センサ６に近い位置に配置される。このときの磁気センサ６からマグネット５ａまでの距離を距離Ｅとし、後述のように表示部２ａを外向きにして表示ユニット２を閉じている状態の距離を距離Ｆとすると、距離Ｅ＜距離Ｆの関係が成り立つ。
【００４４】
この様にマグネット５ａを配置することで、表示部２ａを内向きにして閉じた状態のほうが外向きにして閉じた状態よりも、磁気センサ６から対向するマグネットまでの距離が短くなる。すなわち、表示部２ａを内向きにして閉じた状態のほうが外向きにして閉じた状態よりも、磁気センサ６に対向するマグネットが磁気センサ６の検知範囲から離れるのに要する開閉角度が大きくなる。そのため、表示部２ａを内向きにして開閉動作をしたときに表示部２ａの消灯と点灯とを切り替える開閉角度Ａを、後述する表示部２ａを外向きにして開閉動作をしたときに表示画像を左右反転させる開閉角度Ｂよりも大きくすることが可能となる。
【００４５】
これにより、表示部２ａを内向きにして表示ユニット２を閉状態からの開方向への動作させる際に、表示部２ａが点灯するタイミングを遅くすることができ、カメラ本体１の省電力化が図れて、省エネルギー化につながる。また、表示部２ａを内向きにして表示ユニット２を開状態から閉状態へ動作させる際には、表示部２ａが消灯するタイミングを早くすることができ、上記同様に、カメラ本体１の省電力化が図れて、省エネルギー化につながる。
【００４６】
更に、表示ユニット２は、開閉角度Ａより大きい所定角度である開閉角度Ｃ以下の角度範囲においては、ヒンジ機構に備えられた付勢手段により常に閉じ方向へ付勢されている。表示ユニット２は、開閉角度Ｃを超える角度範囲では、所定の摺動トルクにより任意の角度にて停止（フリーストップ機構）できるようになっている。つまり、開閉角度Ｃは、ヒンジ機構の付勢手段による表示ユニット２の付勢開始角度である。
【００４７】
また、開閉角度Ｃを開閉角度Ａより大きくすることで、表示部２ａが消灯する開閉角度Ａの範囲内においては、常にヒンジ機構の付勢手段により表示ユニット２は閉じ方向へ付勢されている。従って、ユーザが表示ユニット２を不用意に操作して閉状態だった表示ユニット２が開いた場合でも、開閉角度が所定角度以下であれば自動的に閉状態に戻り表示部２ａが点灯しないようにすることができる。
【００４８】
図４（ｂ）は、表示部２ａを外向きにして表示ユニット２を開いていく状態もしくは閉じていく状態を示している。
【００４９】
図中の開閉角度Ｂは、表示部２ｂの画像を左右反転する際の表示ユニット２の角度である。表示ユニット２を閉状態から開いていく際には、この開閉角度Ｂを超えると磁気センサ６の出力がＨＩＧＨからＬＯＷに切り替わり、表示部２ａの画像は左右反転状態が解除されて、通常状態へと遷移する。
【００５０】
逆に、表示ユニット２を開いている状態から閉じていく際には、この開閉角度Ｂを越えると磁気センサ６の出力がＬＯＷからＨＩＧＨに切り替わり、表示部２ａの画像は通常状態から左右反転状態へと遷移する。
【００５１】
なお、表示ユニット２を閉状態から開く際に磁気センサ６の出力がＨＩＧＨ〜ＬＯＷに切り替わる開閉角度Ｂと、表示ユニット２を開状態から閉じる際に磁気センサ６の出力がＬＯＷ〜ＨＩＧＨに切り替わる開閉角度Ｂとは２〜３°程度ずらしても構わない。
【００５２】
表示ユニット２内に配置されているマグネット５ｂは、表示部２ａを外向きにして表示ユニット２を閉じている状態では、表示ユニット２の回転軸Ｃ２より磁気センサ６から離間した位置に配置される。このときの磁気センサ６からマグネット５ｂまでの距離Ｆは、図４（ａ）の距離Ｅより長くなっているのがわかる。
【００５３】
この様にマグネット５ｂを配置することで、表示部２ａを外向きにして閉じた状態のほうが内向きにして閉じた状態よりも、磁気センサ６から対向するマグネット５までの距離が長くなる。すなわち、表示部２ａを外向きにして閉じた状態のほうが内向きにして閉じた状態よりも、磁気センサ６に対向するマグネットが磁気センサ６の検出範囲から離れるのに要する開閉角度が小さくなる。
【００５４】
そのため、表示部２ａを外向きにして開閉動作をしたときに表示画像を左右反転させる開閉角度Ｂを、表示部２ａを内向きにして開閉動作をしたときに表示部２ａの消灯と点灯とを切り替える開閉角度Ａよりも小さくすることが可能となる。ユーザにとって表示部２ａに表示される画像の左右反転の切り替えは、できるだけ表示ユニット２が閉状態（開閉角度０°）に近いほど違和感が少ないため、画像の左右反転の切り替えを閉状態に近いタイミングで行うことで、ユーザの使い勝手が向上する。
【００５５】
ところで、開閉角度Ｂが付勢開始角度Ｃを超えるフリーストップ機構の角度範囲にあると、撮影時にユーザが構図を決めている際に、わずかな衝撃で表示ユニット２が動いて表示部２ａの画像が左右反転する。しかし、本実施形態では、開閉角度Ｂは、開閉角度Ａより小さいことから、ヒンジ機構の付勢手段による付勢開始角度Ｃよりも小さくなり、このような問題は生じない。
【００５６】
以上説明したように、本実施形態では、表示ユニット２内に配置されているマグネット５ａは、表示部２ａを内向きにして表示ユニット２を閉じている状態では、表示ユニット２の回転軸Ｃ２より磁気センサ６に近い位置に配置される。また、表示ユニット２内に配置されているマグネット５ｂは、表示部２ａを外向きにして表示ユニット２を閉じている状態では、表示ユニット２の回転軸Ｃ２より磁気センサ６から離れた位置に配置される。これにより、表示部２ａが内向きの状態及び外向きの状態で表示ユニット２の開閉状態を検知する開閉角度Ａ，Ｂを異ならせることができ、省エネルギー化及びユーザの使い勝手の向上を図ることができる。また、新たなセンサ等を追加する必要がないため、コスト増を回避することができるとともに、機器の小型化を図ることができる。
【００５７】
なお、本実施形態では、同じ形状、大きさでかつ同じ磁力を持つ２つのマグネット５ａ，５ｂを用いて、表示部２ａが内向きの状態及び外向きの状態で表示ユニット２の開閉状態を検知する開閉角度を異ならせているが、これに限定されない。例えば、２つマグネット５ａ，５ｂの形状を異ならせたり、磁性体の種類を異ならせたりすることでも、表示部２ａが内向きの状態及び外向きの状態で表示ユニット２の開閉状態を検知する開閉角度を異ならせることが可能である。なお、マグネット５ａ，５ｂに同じ形状、大きさでかつ同じ磁力を持つマグネットを用いることで、組み立て時に誤ってマグネット５ａの位置にマグネット５ｂとして用いるべきマグネットを配置したとしても問題なく、組み立てミスによる不良を防止できる。
【００５８】
（第２の実施形態）
次に、図６及び図７を参照して、本発明に係る電子機器の第２の実施形態であるデジタルカメラについて説明する。図６は本発明に係る電子機器の第２の実施形態であるデジタルカメラの背面図、図７（ａ）は図６のＭ−Ｍ線断面図、図７（ｂ）は図７（ａ）に対して表示ユニット２の表示部２ａを外向きにした状態を示す断面図である。なお、上記第１の実施形態に対して重複又は相当する部分については、各図に同一符号を付してその説明を省略する。
【００５９】
本実施形態では、１つのマグネット５と１つの磁気センサ６を用いて、表示部２ａが内向きの状態で表示ユニット２の開閉状態を検知する開閉角度Ａと、表示部２ａが外向きの状態で表示ユニット２の開閉状態を検知する開閉角度Ｂとを異ならせる。
【００６０】
磁気センサ６は、カメラ本体１内に配置され、表示ユニット２内に配置されたマグネット５のＳ極及びＮ極をそれぞれ検知するホール素子が２つ内包されている。この磁気センサ６は、上記第１の実施形態と同様に、マグネット５の垂直磁場を検知することが可能であり、Ｎ極及びＳ極を検知した際に極にかかわらず１つの信号を出力する。
【００６１】
図７（ａ）に示すように、表示部２ａを内向きにして表示ユニット２を閉じている状態では、マグネット５は、表示ユニット２の回転軸Ｃ２より磁気センサ６に近い位置に配置される。このときの磁気センサ６からマグネット５までの距離は、距離Ｅとされ、また、磁気センサ６に対向するマグネットの極は、Ｎ極とされている。
【００６２】
逆に、図７（ｂ）に示すように、表示部２ａを外向きにして表示ユニット２を閉じている状態では、マグネット５は、表示ユニット２の回転軸Ｃ２より磁気センサ６から離れたする位置に配置される。このときの磁気センサ６からマグネット５までの距離は、図７（ａ）の距離Ｅより長い距離Ｆとされ、また、磁気センサ６に対向するマグネットの極は、Ｓ極とされている。
【００６３】
これにより、部品点数を増やすことなく、表示部２ａが内向きの状態及び外向きの状態で表示ユニット２の開閉状態を検知する開閉角度Ａ，Ｂを異ならせることができ、省エネルギー化及びユーザの使い勝手の向上を図ることができる。その他の構成及び作用効果は、上記第１の実施形態と同様である。
【００６４】
（第３の実施形態）
次に、図８及び図９を参照して、本発明に係る電子機器の第３の実施形態であるデジタルカメラについて説明する。図８は本発明に係る電子機器の第３の実施形態であるデジタルカメラの背面図、図９（ａ）は図８のＭ−Ｍ線断面図、図９（ｂ）は図９（ａ）に対して表示ユニット２の表示部２ａを外向きにした状態を示す断面図である。なお、上記第１の実施形態に対して重複又は相当する部分については、各図に同一符号を付してその説明を省略する。
【００６５】
本実施形態では、１つのマグネット５と１つの磁気センサ６を用いて、表示部２ａが内向きの状態で表示ユニット２の開閉状態を検知する開閉角度Ａと、表示部２ａが外向きの状態で表示ユニット２の開閉状態を検知する開閉角度Ｂとを異ならせる。
【００６６】
磁気センサ６は、カメラ本体１内に配置され、垂直磁場を検知する２つのホール素子が内包されている。２つのホール素子は、表示ユニット２内に配置されたマグネット５が発する磁場を、異なる閾値を用いて検知する。
【００６７】
本実施形態では、磁気センサ６は、例えば、３ｍＴを閾値とする第１のホール素子と、８ｍＴを閾値とする第２のホール素子とを備え、検知した磁場の磁束密度がそれぞれの閾値を超えると、制御部にＨＩＧＨ信号を出力し、閾値以下では、ＬＯＷ信号を出力する。
【００６８】
この場合、制御部は、表示ユニット２の回転状態を検知するマイクロスイッチからＯＦＦ信号が出力された場合（表示部２ａが内向きの場合）は、３ｍＴを閾値とする第１のホール素子を選択して稼働する。また、制御部は、マイクロスイッチからＯＮ信号が出力された場合（表示部２ａが外向きの場合）は、８ｍＴを閾値とする第２のホール素子を選択して稼働する。
【００６９】
また、本実施形態では、マグネット５は、図９（ａ）及び図９（ｂ）に示すように、表示部２ａが内向き及び外向きのいずれの場合も、表示ユニット２の閉状態では、表示ユニット２の回転軸Ｃ２と略同一位置に配置されている。
【００７０】
ここで、表示部２ａが内向きの場合は、マイクロスイッチからＯＦＦ信号が出力されるため、制御部は、磁気センサ６の２つのホール素子のうち閾値が小さい方の第１のホール素子（閾値３ｍＴ）を稼動させる。
【００７１】
そして、制御部は、表示ユニット２が閉状態から徐々に開いてマグネット５が磁気センサ６から遠ざかり、第１のホール素子で検知される磁場の磁束密度が閾値３ｍＴ以下となると、表示部２ａを消灯から点灯に切り替える。また、制御部は、表示ユニット２が開状態から徐々に閉じてマグネット５が磁気センサ６に近づき、第１のホール素子で検知される磁場の磁束密度が閾値３ｍＴを超えると、表示部２ａを点灯から消灯に切り替える。
【００７２】
これにより、表示部２ａを内向きにして開閉動作をしたときに表示部２ａの消灯と点灯とを切り替える開閉角度Ａをもう一方の閾値の大きいホール素子を用いる場合よりも大きくすることが可能となる。
【００７３】
次に、図９（ｂ）に示すように、表示部２ａが外向きの場合は、マイクロスイッチからＯＮ信号が出力されるため、制御部は、磁気センサ６の２つのホール素子のうち閾値が大きい第２のホール素子（閾値８ｍＴ）を稼動させる。
【００７４】
そして、制御部は、表示ユニット２が閉状態から徐々に開いてマグネット５が磁気センサ６から遠ざかり、第２のホール素子で検知される磁場の閾値が閾値８ｍＴ以下となると、表示部２ａの画像を左右反転状態から通常状態に切り替える。また、制御部は、表示ユニット２が開状態から徐々に閉じてマグネット５が磁気センサ６に近づき、第２のホール素子で検知される磁場の閾値が閾値８ｍＴを超えると、表示部２ａの画像を通常状態から左右反転状態に切り替える。
【００７５】
これにより、表示部２ａを外向きにして開閉動作をしたときに表示画像を左右反転させる開閉角度Ｂをもう一方の閾値の小さいホール素子を用いる場合よりも小さくすることが可能となる。
【００７６】
このように、本実施形態では、部品点数を増やすことなく、表示部２ａが内向きの状態及び外向きの状態で表示ユニット２の開閉状態を検知する開閉角度Ａ，Ｂを異ならせることができ、省エネルギー化及びユーザの使い勝手の向上を図ることができる。その他の構成及び作用効果は、上記第１の実施形態と同様である。
【００７７】
なお、本発明の構成は、上記各実施形態に例示したものに限定されるものではなく、材質、形状、寸法、形態、数、配置箇所等は、本発明の要旨を逸脱しない範囲において適宜変更可能である。
【００７８】
例えば、上記実施形態では、磁気センサ６としてホールＩＣを例示したが、ＧＭＲセンサ等の磁気センサであってもよい。
【００７９】
また、上記実施形態では、表示ユニット２の回転軸Ｃ２を中心とした回転状態を接点式のマイクロスイッチで検知する場合を例示したが、表示ユニット２の回転状態を例えばマグネットと磁気センサを用いて検知するようにしてもよい。
【００８０】
更に、上記各実施形態では、カメラ本体１及び表示ユニット２のうちの一方に配置する磁石５ａ，５ｂ，５を表示ユニット２に配置し、他方に配置する磁気センサ６をカメラ本体１に配置しているが、これらの配置を逆にしてもよい。
【符号の説明】
【００８１】
１  カメラ本体
２  表示ユニット
２ａ  表示部
５  マグネット
５ａ  マグネット
５ｂ  マグネット
６  磁気センサ
【図１】
2011041125.tif 000003
【図２】
2011041125.tif 000004
【図３】
2011041125.tif 000005
【図４】
2011041125.tif 000006
【図５】
2011041125.tif 000007
【図６】
2011041125.tif 000008
【図７】
2011041125.tif 000009
【図８】
2011041125.tif 000010
【図９】
2011041125.tif 000011